(57)【特許請求の範囲】
【請求項１】
取付け部に突設されたボスと、被取付け部材の取付け孔に挿通されるクリップとで被取付け部材を締結するための締結構造であって、
前記ボスが、後端面に取付け孔の周面を当接させ、かつ隙間を置いて互に対面する２枚のプレートを備えると共に、少なくともその一方のプレートの内面に逆止溝又は逆止爪が形成され、
前記クリップが、前記逆止溝又は前記逆止爪に係止される係合爪又は係合溝が表面に形成され、かつ前記隙間に差込まれるピン部及びその後端部に形成されて前記取付け孔の周面に当接するヘッド部を備え、
一方の前記プレートは、相手方の前記プレートに対して前記隙間を置く対面位置から離反し得るように曲げ弾性を呈すると共に、一方の前記プレートが相手方の前記プレートに対して離反するのを拘束するように、前記ヘッド部及び一方の前記プレートの後端部に、この後端部を離脱操作可能に前記ヘッド部に係合させる係合部が形成されたことを特徴とする締結構造。
【請求項２】
逆止溝又は逆止爪及び係合爪又は係合溝がプレートの縦方向へ複数個配列されていることを特徴とする請求項１記載の締結構造。
【請求項３】
係合部が、ヘッド部の背面に突設された突起と、一方のプレートの後端部から延びて断面コの字形の係合溝を形成し、その前壁及び後壁間で前記ヘッド部に係合する爪部とより構成されると共に、前記突起を係入させる係合孔が前記後壁に形成され、
この後壁の下縁が、一方の前記プレートの離反位置からの解放により、弾性復帰力で前記突起に当接して自動的にこの突起を前記係合孔に係入させ、前記後壁を後方へ引張ると前記係合孔が前記突起から離脱することを特徴とする請求項１又は請求項２記載の締結構造。
【請求項４】
ボス及びクリップがそれぞれ合成樹脂により一体成形されたことを特徴とする請求項１又は請求項２又は請求項３記載の締結構造。
【請求項５】
取付け部が自動車の合成樹脂製のインストルメントパネルであり、ボスが前記インストルメントパネルの裏面に一体に成形され、
前記インストルメントパネルの裏側に配置される被取付け部材に、取付け孔を有するブラケットが設けられていることを特徴とする請求項１乃至請求項４のいずれか記載の締結構造。
【発明の詳細な説明】
【０００１】
【発明の属する技術分野】
本発明は、取付け部に突設されたボスに、被取付け部材をその取付け孔に締結具を挿通させて締結するための締結構造に関するものである。
【０００２】
【従来の技術】
取付け部であるインストルメントパネル１に突設したねじ孔付ボス４に、取付け孔を有する例えばダクトのブラケット７の取付け孔７ａに締結具としてボルト５をねじ込んで締結するのが通常である。
【０００３】
【発明が解決しようとする課題】
したがって、取付け或いは取外しのためにドライバ等の工具を必要としている。
【０００４】
本発明は、このような点に鑑みて、取付け工具無しで、容易に脱着し得る締結構造を提供することを目的とする。
【０００５】
【課題を解決するための手段】
本発明は、この目的を達成するために、取付け部１に突設されたボス（１０）と、被取付け部材（３）の取付け孔（３ａ）に挿通されるクリップ（２０）とで被取付け部材（３）を締結するための締結構造であって、ボス（１０）が、後端面（１１ａ，１２ａ）に取付け孔（３ａ）の周面を当接させ、かつ隙間（１２ｂ）を置いて互に対面する２枚のプレート（１１，１２）を備えると共に、少なくともその一方のプレート（１１）の内面に逆止溝（１３）又は逆止爪が形成され、クリップ（２０）が、逆止溝（１３）又は逆止爪に係止される係合爪（２３）又は係合溝が表面に形成され、かつ隙間（１２ｂ）に差込まれるピン部（２１）及びその後端部に形成されて取付け孔（３ａ）の周面に当接するヘッド部（２２）を備え、一方のプレート（１１）は、相手方のプレート（１２）に対して隙間（１２ｂ）を置く対面位置から離反し得るように曲げ弾性を呈すると共に、一方のプレート（１１）が相手方のプレート（１２）に対して離反するのを拘束するように、ヘッド部（２２）及び一方のプレート（１１）の後端部に、この後端部を離脱操作可能にヘッド部（２２）に係合させる係合部（２６ａ，２６，１５ａ，１５ｂ，１７）が形成されたことを特徴とする。
【０００６】
被取付け部材（３）の取付け孔（３ａ）に挿通されたクリップ（２０）を、取付け部（１）に突設されたボス（１０）にプレート（１１，１２）を開拡させた状態で隙間（１２ｂ）に挿通する。開拡が解放されると、逆止溝（１３）又は逆止爪でピン部（２１）が抜け止めのために逆止された状態で、ボス後端面（１１ａ，１２ａ）及びヘッド部（２２）間に被取付け部材（３）が締結される。この締結状態は、ヘッド部（２２）及び一方のプレート（１１）の後端部間の係合により、プレート（１１，１２）間の離反が拘束されることにより確保される。
【０００７】
【発明の実施の形態】
図１乃至図３を基に本発明の実施の形態の一例によるインストルメントパネルに対する締結構造を説明する。この締結構造は、インストルメントパネル１に一体成形により突設されて、上側一方の内面に逆止溝１３が縦方向に複数段配列されて対面する２枚のプレート１１、１２を備えたボス１０と、逆止溝１３に係入して係止される係合爪２３が表面に縦方向へ歯形状に形成されたピン部２１及びその後端部に形成されて被取付け部材例えば空調ダクト２のブラケット３の取付け孔３ａの周面に当接するプレート状ヘッド部２２を備えた合成樹脂製のクリップ２０とより構成される。尚、プレート１１に逆止爪を形成し、ピン部２１に係合溝を形成することも可能である。
【０００８】
表面から垂直に立ち上がり先方へ向けて傾斜面で復帰する逆止溝１３が配列されているプレート１１は、相手方のプレート１２に対して離反するように曲げ弾性を呈する。プレート間１１、１２の隙間１２ｂにピン部２１が差込まれて逆止溝１３に鋸歯状の係合爪２３が係止された抜止め状態を保持するように、ヘッド部２２及びプレート１１の後端部には、この後端部をヘッド部２２に離脱可能に係合させる係合部が形成されることにより、プレート１１がプレート１２に対して離反するのを拘束している。ピン部２１は隙間１２ｂに相当する厚みを有し、その底面２９はプレート１２の表面１２ｃに対応する曲面状に形成されている。
【０００９】
この係合部は、ヘッド部２２の背面上端部に後方へ向けて突設され、かつ後方へ向けて下方へ傾斜する傾斜面２６ａを有する突起２６と、この突起に上方から係合するように、プレート１１の後端面１１ａで直交方向へ外方へ立ち上がって前壁１５ｂを形成し、断面コの字形の係合溝１５ａを形成するように後方へ延びる爪部１５とより構成される。係合溝１５ａの後壁１６には、突起２６を係入させる係合孔１７が形成されている。後壁１６の下縁１６ａは、プレート１１の離反位置からの解放により、弾性復帰力で突起２６に当接して自動的に突起２６を係合孔１７に係入させ、一方後壁１６を後方へ引張ると係合孔１７が突起２６から離脱する。
【００１０】
ヘッド部２２の背面には、クリップ２０をプレート１１、１２間に対して抜差し操作するためのノブ２５が突設されている。プレート１１の後端面１１ａ、前壁１５ｂ及びプレート１２の後端面１２ａは同一面状であり、ボス１０の後端面を形成して被取付け部材の取付け孔３ａの周面に当接する。
【００１１】
インストルメントパネル１の裏側での空調ダクト２の取付けに際しては、そのブラケット３を隙間１２ｂにその取付け孔３ａを揃えてボス１０の後端面にセットした状態で、後壁１６の下縁１６ａを指で持ち上げてプレート１１を上方へ２点鎖線で示すように開拡させる。この状態で、クリップ２０を取付け孔３ａに挿通させて隙間１２ｂに差込み、逆止溝１３に係合爪２３を係合させる。プレート１１の開拡を解除すると、その弾性復帰力により自動的に後壁１６の係合孔１７に突起２６が係入する。ブラケット３の厚みは、ヘッド部２２の厚みを加えて係合溝１５ａの幅に対応するように設定されている。
【００１２】
これにより、逆止溝１３への係合爪２３の逆止状態での係合及び後壁１６のヘッド部２２の背面への係合により、クリップ２０が抜け止めされる。また、突起２６が係合孔１７に係合してプレート１１の開拡が拘束されることにより、抜止め状態が確保される。さらに、逆止溝１３へ係合爪２３が十分な横幅にわたり緊密に係合すると共に、プレート１２の表面１２ｃ及びピン部２１の底面２９の対応形状の曲面によってもクリップ２０の側方への回転変位が拘束され、クリップ２０のボス１０からの離脱が確実に拘束される。
【００１３】
空調ダクト２の取外しに際しては、ボス１０の後壁１６を後方へ引張って、突起２６を離脱させると共に、プレート１１を上方へ開拡させてクリップ２０を抜く。
【００１４】
前述の実施の形態では、プレート１２の表面１２ｃ及びピン部２１の底面２９は曲面状に形成されているが、図３に示すように、上側のプレート３３に逆止される係合爪３１付ピン部３２を断面方形状に形成し、下側のプレート３５も対応形状の断面方形状にガイド溝を形成させ、回転不能にスライド操作させることもできる。
【００１５】
【発明の効果】
本発明によれば、取付け部に突設したボスに、取付け孔を有する被取付け部材が、工具無しで脱着可能に簡単な操作で締結可能となる。また、解体時に鉄部分の分別を不要にするように合成樹脂のみで製作することができる。
【図面の簡単な説明】
【図１】本発明の実施の形態による締結構造の分解斜視図である。
【図２】同締結構造の取付け状態を示す断面図である。
【図３】別の実施の形態による締結構造の断面図である。
【図４】従来の対応した取付け構造を示す断面図である。
【符号の説明】
１  インストルメントパネル
３ａ  取付け孔
１０  ボス
１１、１２  プレート
１３  逆止溝
１５ａ  係合溝
１５ｂ  係合溝の前壁
１６  係合溝の後壁
１７  係合孔
２０  クリップ
２１  ピン部
２２  ヘッド部
２３  係合爪
２６  突起
【図１】
0004187187.tif 000002
【図２】
0004187187.tif 000003
【図３】
0004187187.tif 000004
【図４】
0004187187.tif 000005